(57)【要約】      （修正有）【課題】ネックレスとして使用できる断面積と直径を有し、表面に立体的な意匠を有しており、且つその形態のままエキスパンダーとしてトレーニングに使用可能な伸縮性を備えたストレッチ用ネックレスを提供する。【解決手段】エキスパンダーとしてトレーニングに使用可能な伸縮性を備えているとともに、首筋の刺激部を接触できるような形状になっているシリコーンゴム２のネックレスで、首元を美的に飾る意匠性を形成して、デザイン性を重視しながら、最小断面積と最大断面積の差の小さい意匠を施し、エキスパンダーとしてトレーニングに使用可能な伸縮性を持たせた。【選択図】図１
0003206739.tif 000002
【実用新案登録請求の範囲】
【請求項１】
シリコーンゴムをリング状にしたことを特徴とするストレッチ用ネックレス。
【請求項２】
前記シリコーンゴムの表面にダイヤモンドカットを施したことを特徴とする請求項１記載のストレッチ用ネックレス。
【請求項３】
前記シリコーンゴムの伸縮率は１５０％〜１３００％であることを特徴とする請求項１または請求項２記載のストレッチ用ネックレス。
【請求項４】
前記シリコーンゴムの断面積は、断面積が９平方ｍｍ〜９０平方ｍｍであることを特徴とする請求項１〜請求項３のいずれかに記載のストレッチ用ネックレス。
【請求項５】
前記シリコーンゴムの最小断面積が最大断面積の７０％以上の範囲内に抑えることにより、伸長時の応力の集中を防げるようにしたことを特徴とする請求項２記載のストレッチ用ネックレス。
【考案の詳細な説明】
【技術分野】
【０００１】
本考案は、エキスパンダーとしてトレーニングに使用できる伸縮性を持ち、首筋の刺激部を接触できるような形状になっているシリコーンゴムのリング状で、首元を美的に飾る意匠性を有するネックレスに関する。
【背景技術】
【０００２】
従来より、両端にリング形状を設けたゴム製のベルトであり、該リング部分を把持し伸縮させることでストレッチ運動を行うことができるエキスパンダーが提案されている（特許文献１参照）。
【０００３】
手の甲と手首を安定的かつ美的に飾る状態に装飾可能なブレスレットとしても使用可能で、必要に応じ形状を変形させ伸縮性を持ったトレーニング用品として使用可能なエキスパンダーが提案されている（特許文献２参照）。
【０００４】
近年、人口の高齢化や独居老人の増加に伴い、電話番号や住所等が記載されたカードを老人等に携帯させ、老人が認知症であった場合や外出先で行き倒れた場合等に、緊急時に駆けつけた救急隊員が早期処置できるように配慮されて、当該シリコーンのネックレスに付けたプレートには、電話番号や住所等の緊急連絡先の他にも、血液型、アレルギーや既住症等の病院搬送時の注意事項も記載されているものが提案されている（特許文献３参照）。
【０００５】
また、このような身分証明用のカードを携帯する利便性を考慮し、カードに輪状の紐部を設けてネックレス状に形成し、当該身分証明用のカードを紛失等しないように首に吊り下げておく吊り下げ用名札のようなものも提供されている（特許文献４参照）。
【０００６】
健康促進用チップ（ゲルマや磁気やブラックシリカなど）などを個々の絡穴（ツボ）に的確に当たるようにした健康促進用チップの絡穴（ツボ）当て錘付き健康ジュエリーを提供するために、日常生活の自然体で装着されたジュエリーの最下点にスライド金具や固定式バチカンのペンダントトップやクラスプなどの錘を使用するにより、くるぐる、回っていたジュエリーが元の位置に復元され元々配置していた健康促進用チップが的確に個々の絡穴（ツボ）に当たるができるようにした健康促進用チップの絡穴（ツボ）当て錘付き健康ジュエリーが提案されている（特許文献５参照）。
【０００７】
シリコーンゴムのリングの構造がきわめて簡単でデザインのバリエーションも広く、しかも装飾チェーンの輪の大きさを自由に変えることができる装装身具を提供することで、 ネックレス等の装飾チェーンからなる装身具において、前記装飾チェーンの一端に丸玉、ミラーボール、パイプ等のデザインパーツを取付けるとともに、前記デザインパーツ中にシリコーンゴムのような弾性体を注入し、さらに前記シリコーンゴムのような弾性体に装飾チェーンの直径より僅かに小径の貫通孔を設け、前記貫通孔に前記装飾チェーンの他端側を挿通した装身具が提案されている（特許文献６参照）。
【先行技術文献】
【特許文献】
【０００８】
【特許文献１】特開2012-170806号公報
【特許文献２】特開2015-066413号公報
【特許文献３】登録実用新案第3176959号公報
【特許文献４】特開2007-293561号公報
【特許文献５】特開2015-080713号公報
【特許文献６】特開平11-046826号公報
【考案の概要】
【考案が解決しようとする課題】
【０００９】
エキスパンダー部分にゴム素材を採用することで、怪我や事故を防ぎ、安全性を向上させたものは参考文献では存在している。しかし、従来の技術ではトレーニングに適した最大伸びを確保するため、ゴム部分の占有断面積が大きくなってしまう問題があった。
【００１０】
また、トレーニングに使用していない場合にアクセサリ―としての用途を提案したものは参考文献では存在している。しかし、従来の技術ではトレーニング使用時とそうでない場合に変形が必要であり、気軽に用途を変更できないといった問題があった。
【００１１】
本考案は、かかる事情に鑑みてなされたものであり、エキスパンダーとして使用している状態のまま、首元を美的に装飾する用途に耐えうるネックレスを提供することを目的とする。
【００１２】
単なるネックレスにシリコーンゴムの形状を変えることで、首付近での経穴（ツボ）の位置を無視して健康促進用チップを配置しているために非効率的な効用効果しか出なかった。一方、該チップを粉末にして金属に練りこむ方法は、手間も掛かり非経済的であり、かつ、異物混入の為、金属劣化が避けられず含有率の限界があった。また、チップの含有率を低くすることにより効用効果に問題があった。また、該チップの内径にシリコーン等の弾性体のゴムリング装着することで、該チップを任意の位置に移動可能にし、首付近の絡穴（ツボ）に当たる確率を上げることは、使用者に経穴（ツボ）に関する知識が必要なうえ、移動作業を強いられるため非効率的であり、かつ美的な面で問題を生じた。本考案は以上の問題点を解決しようとするものである。
【課題を解決するための手段】
【００１３】
ネックレスとして装着した際、違和感のない断面の大きさと全体の直径であり、表面には装着感とデザイン性の向上を目的とした意匠が施されている。また、該意匠はエキスパンダーとして使用した際に耐久性に悪影響を及ぼす応力の集中を最小限に抑えたものであり、また、人体への影響が少なく、且つエキスパンダーとして使用可能な物性を持った素材を使用して製造されたトレーニングに使用可能なネックレスである。
【００１４】
該ネックレスは、断面が９平方ｍｍ〜９０平方ｍｍであり、全体の直径が男性用で130ｍｍ〜200ｍｍ、女性用で100ｍｍ〜180ｍｍであり、最小断面積が最大断面積の５０％〜１００％の範囲内に抑えることにより、伸長時の応力の集中を防ぐことができるものである。
【００１５】
該ネックレスの素材は伸縮性があり且つ引裂き強度の高い素材を使用する。
【００１６】
エキスパンダーとしてトレーニングに使用可能な伸縮性を備えているとともに、首筋を刺激できるような形状になっているシリコーンゴムのリング状で、首元を美的に飾る意匠性を形成しているストレッチ用ネックレスである。
【００１７】
エキスパンダーとしてトレーニングに使用可能な伸縮性を備えて、当該エキスパンダーの断面形状として楕円形、多角形、扇形にして、前記形状を均一状、又は断続的な交互形状を持っているネックレスになっており、伸縮時の応力の集中を防ぐため、最小断面積が最大断面積の５０〜１００％になるようにリングに立体的な意匠的形状を施している。
【００１８】
該ネックレスの素材の伸びが７００％〜１５００％で、硬度１０°〜４０°（ショアA）で且つ引裂き強度が１５〜４０N/ｍｍのシリコーンゴム素材を使用する。
【００１９】
該ネックレスの素材に健康促進の機能を持つ粉体（ゲルマニウムや磁性体やブラックシリカ等）を直接混錬することで、ネックレス全体に満遍なく健康促進機能を付与し、使用者の知識の有無や使用状況に関わらず、健康促進機能を得ることが可能なストレッチ用ネックレスである。
【考案の効果】
【００２０】
本校案のネックレスは、シリコーンゴムのリングにおいて、伸縮できるようにして、腕のトレーニングに使用可能な形状のまま変形を必要とすることなくネックレスのアクセサリ―としての用途が可能になった。従来の技術ではトレーニング使用時とそうでない場合に変形が必要であり、気軽に運動用、健康用などの用途に変更することが出来なかった。
【００２１】
本考案の製品は、シリコーンゴム全体に健康促進用粉体が混錬されており、かつネックレスとして装着した状態で運動する際、該製品が首筋を適度に刺激することが可能な意匠を施していることにより、個々の絡穴（ツボ）に対して健康促進用素材が最大時間絡穴（ツボ）に当たり効能効果が最大限発揮できた。
【００２２】
本考案のネックレスリングは、前記のように、ネックレス、ブレスレット等の装飾シリコーンゴムからなる装身具において、前記装飾性パイプ等のデザインパーツを取付けるとともに、前記リングのデザインパーツ中にシリコーンゴムのような弾性体を持たせて、さらに前記シリコーンゴムのような弾性体に装飾性形状のリングの直径より僅かに小径の変形形状を設け、前記変形体に前記装飾性形状リングの他端側を挿通したものであるから、デザインパーツを前記装飾形状体の所望位置に容易に係止させることができるばかりでなく、弾性体は、前記デザインに一体化されたものであるから、両部材は強固に固定化され、安全であった。
【図面の簡単な説明】
【００２３】
【図１】ストレッチ用ネックレスの構成
【考案を実施するための形態】
【００２４】
エキスパンダーとしてトレーニングに使用可能な伸縮性を備えているとともに、首筋の刺激部を接触できるような形状になっているシリコーンゴムのリング状で、首元を美的に飾る意匠性を形成しているストレッチ用ネックレスにおいて、以下、図面を参照して、本考案の実施形態に係るトレーニングに使用可能なネックレスについて説明する。
【００２５】
図１を用いて、本実施形態に係るトレーニングに使用可能なネックレスの構成について説明する。該ネックレスはシリコーンゴム製のリング形状の一体成型品からなる。
【実施例１】
【００２６】
該ネックレスの素材の伸びが1100％で、硬度23°（ショアA）で且つ引裂き強度が33ＫNのシリコーンゴム素材を使用し、直径φ160ｍｍの円形に成型した。シリコーンゴムのエキスパンダーとしてトレーニングに使用可能な伸縮性を備えたネックレスにおいて、シリコーンゴムの組成において、列理を伸縮方向に対し平行にすることによって引裂き強度を向上させて、太さを１辺が５〜７ｍｍで最大伸長を7倍の伸びになった。
【００２７】
当該エキスパンダーの断面形状として正方形にして、前記形状を断続的な交互形状を持っているネックレスになっており、伸縮時の応力の集中を防ぐため、最小断面積が最大断面積の80％になるようにリングに立体的な意匠的形状を施した。
【実施例２】
【００２８】
該ネックレスの素材の伸びが640％で、硬度４０°（ショアA）で且つ引裂き強度が25ＫNのシリコーンゴム素材を使用し直径φ200ｍｍに成型した。シリコーンゴムのエキスパンダーとしてトレーニングに使用可能な伸縮性を備えたネックレスにおいて、シリコーンゴムの組成において、列理を伸縮方向に対し平行にすることによって引裂き強度を向上させて、太さを8〜11ｍｍφで最大伸長を5倍の伸びになった。
【００２９】
当該エキスパンダーの断面形状として楕円形にして、断続的な交互形状を持っているネックレスになっており、伸縮時の応力の集中を防ぐため、最小断面積が最大断面積の50％になるようにリングに立体的な意匠的形状を施した。
【実施例３】
【００３０】
該ネックレスの素材に伸びが1500％で、硬度１０°（ショアA）で且つ引裂き強度が１５ＫNのシリコーンゴム素材を使用し、直径φ130ｍｍの円形に成形した。シリコーンゴムのエキスパンダーとしてトレーニングに使用可能な伸縮性を備えたネックレスにおいて、シリコーンゴムの組成において、列理を伸縮方向に対し平行にすることによって引裂き強度を向上させて、太さを5〜6ｍｍφで最大伸長を13倍の伸びになった。
【００３１】
当該エキスパンダーの断面形状として円形及び正方形にして、前記形状を断続的な交互形状を持っているネックレスになっており、伸縮時の応力の集中を防ぐため、最小断面積が最大断面積の90％になるようにリングに立体的な意匠的形状を施した。
【符号の説明】
【００３２】
１  ストレッチ用ネックレス
２  シリコーンゴム
３  ダイヤモンドカット
【図１】
0003206739.tif 000003